(57)【要約】【課題】複数の信号送信部を持つリモートコントローラにおいて、手で持って操作の操作と机において操作の操作が変わるたびに、切り替えスイッチを操作する必要あり、操作が煩雑であった。【解決手段】操作部は、ユーザが押下するボタンを有する操作部と、押下されたボタン情報を受け対応するボタンコード信号を生成する信号発生部と、ボタンコード信号を送信する複数の信号送信部と、本体角度に応じて、２つの信号送信部のうちどちらから信号を送信するかを切替える送信切替部とを設けた。【選択図】図５
2007214863.tif 000002
【特許請求の範囲】
【請求項１】
ユーザが操作するボタンを有する操作部と、操作されたボタン情報を受け対応するボタンコード信号を生成する信号発生部と、ボタンコード信号を送信する複数の信号送信部と、本体角度に応じて、複数の信号送信部のうちいずれから信号を送信するかを切替える送信切替部とを設けたことを特徴とするリモートコントローラ。
【発明の詳細な説明】
【技術分野】
【０００１】
本発明は、複数の信号送信部を有するリモートコントローラに関するものである。
【背景技術】
【０００２】
近年、テレビジョン受像機などのデジタル化・高機能化が進み、インターネットやメールなど多くの機能も搭載されるようになってきている。それに伴い、それら機能で用いるボタンをリモートコントローラに備えるようになってきた。ボタンの配置が複雑になり、リモートコントローラ前面の表示を見ながらボタンを押すことが増えてきた。その一方で、机の上など平らな場所に置いてボタンを押すということもある。
【０００３】
従来この種のリモートコントローラとしては特許文献１に記載されたもののように、送信方向の異なる複数の発信素子からリモコン信号を送信するように構成することにより、リモコン装置を片手で自然に持って操作する場合や机等の水平面上に置いて操作する場合でも機器の操作を可能にするものがあった。このリモートコントローラは切替えスイッチを有し、複数の信号送信部を切替えることも可能であった。
【特許文献１】特開平３−２３９０９２号公報
【発明の開示】
【発明が解決しようとする課題】
【０００４】
しかし、特許文献１に記載のリモートコントローラでは、切替えの操作が煩雑という欠点があった。リモコン操作の機会が増加する今日、この欠点は入力操作性に関して大きな障害である。具体的には、リモートコントローラを手で持って操作の操作と机において操作の操作が変わるたびに、切替えを操作する必要あり、また切替えの状態を確認する必要があるなどの問題があった。
【課題を解決するための手段】
【０００５】
本発明のリモートコントローラは、リモコンを操作する角度に応じて、複数の送信部を自動的に切替え、同時には一つの送信部からのみ信号を送信する機能を持たせるものである。
【０００６】
具体的には、操作部は、ユーザが押下するボタンを有する操作部と、押下されたボタン情報を受け対応するボタンコード信号を生成する信号発生部と、ボタンコード信号を送信する複数の信号送信部と、本体角度に応じて、２つの信号送信部のうちどちらから信号を送信するかを切替える送信切替部とを設けたものである。
【発明の効果】
【０００７】
本発明により切替えの操作を能動的に行うことなく送信部を切替えてボタン入力を行うことができ、スムースに操作を行うことできるという効果がある。
【発明を実施するための最良の形態】
【０００８】
（実施の形態１）
本発明の実施の形態の一例を、図面を用いて説明する。図１と図２は本発明の一実施の形態に係るリモートコントローラの外観を示す側面図である。
【０００９】
リモートコントローラの少なくとも１面に、種々の操作を指示するためのボタンを配置する。なお図面においては、符号の引出しが煩雑となるため、ボタンは一部のボタンのみ指し示しているが、図に表示しているボタンのそれぞれ全てを示している。このボタン全体は内部の回路によって、どのボタンがユーザにより押下されたか検出されるようになっており、このボタン全体を配置し、どのボタンを押されたか検出する部分を操作部２とする。
【００１０】
本発明のリモートコントローラは、操作する状態として、手で自然に持って本体をやや手前に傾けて操作する場合と、机や床等に置き本体が水平な状態で操作する場合の２つの操作状態を有するものである。
【００１１】
それぞれの状態でリモートコントローラの角度が異なっても、テレビ等受信機の方向に向かって信号が送信されるように、それぞれの状態のときのリモートコントローラの角度に応じて、２つの信号送信部のうちどちらから信号を送信するかを自動的に切替える。手前に傾けて操作する場合は、リモートコントローラの底部近傍に角度を付けて取り付けられた第１信号送信部８から信号を送信する。水平な状態で操作する場合は、水平に取り付けられた第２信号送信部１０から信号を送信する。
【００１２】
図３と図４は本実施の形態に係る送信切替部の構造を示す図である。
【００１３】
送信切替部６は、金属球１４と少なくとも２面が接する非金属製の球ケース１２からなる。球ケース１２はリモートコントローラ本体に対し、わずかに後方へ傾けて設置される。この傾きにより、リモートコントローラ本体が水平の状態の場合金属球１４は後方に転がり、本体が手前に傾けられた場合、金属球１４は手前に転がる。球ケース１２の後端には上下にそれぞれ第１接点１６と第２接点１８を設け、金属球１４が転がってきた場合に通電するようにする。この通電状態により本体の角度を検知して信号送信部の切替えを行う。
【００１４】
なお、本説明では接点の位置は後方側としたが、逆に手前側に設けてもよい。
【００１５】
次に、本発明のリモートコントローラの動作を図５を用いて説明する。
【００１６】
図５は本構成のブロック図である。図５において、操作部２は、ユーザが押下するボタン２２とから構成される。ユーザによってボタン部２２を押下された操作部２は、どのボタンが押下されたかというボタン情報を出力する。
【００１７】
どのボタンが押下されたかというボタン情報は信号発生部４に入力され、信号発生部４は押下されたボタンに対応するボタンコード信号をエンコードして発生させる。
【００１８】
送信切換部６は、信号発生部４から出力されるボタンコード信号が入力され、これに基づいて本体角度に応じて、２つの信号送信部のうちどちらから信号を送信するかを切替える。現在中の操作状態が水平状態の場合は、信号発生部４が出力したボタンコード信号を第２信号送信部１０から赤外線等によって本体機器へ送信する。本体が手前に傾いた状態の場合は、第１信号送信部８から本体機器へ送信する。
【００１９】
以上のように構成されたリモートコントローラの使用方法、およびそれに伴う動作を説明する。本実施の形態では、例えば、チャンネル番号「１」を押す場合を想定する。
【００２０】
まずは、本発明のリモートコントローラを机に置いて使用する場合から説明する。ユーザは図１のように本体を水平に置き、チャンネル番号「１」ボタンを押下する。操作部２はチャンネル番号「１」ボタンが押下されたことを信号発生部４に通知する。信号発生部４は、チャンネル番号「１」ボタンのボタンコード信号であるチャンネル１を指示するボタンコード信号を発生させる。送信切換部６は、本体が水平で送信切換部６がわずかに後方に傾いているので金属球１４が通電状態となることにより、第２信号送信部１０の方からチャンネル番号「１」ボタンのボタンコード信号を送信する。
【００２１】
次に本発明のリモートコントローラを手に持って使用する場合を説明する。ユーザは図２のように本体を手に持ち、チャンネル番号「１」ボタンを押下する。操作部２はチャンネル番号「１」ボタンが押下されたことを信号発生部４に通知する。信号発生部４は、チャンネル番号「１」ボタンのボタンコード信号であるチャンネル１を指示するボタンコード信号を発生させる。送信切換部６は、本体が手前に傾き送信切換部６も手前に傾いているので金属球１４が不通電状態となることにより、第１信号送信部８の方からチャンネル番号「１」ボタンのボタンコード信号を送信する。
【００２２】
以上のように、本発明のリモートコントローラは、上記切換方式の実装形態を採用したので、切替えの操作を能動的に行うことなく送信部を切替えてボタン入力を行うことができ、スムースに操作を行うことできるという効果がある。
【００２３】
なお、送信切替部６の構成について、金属球１４と端子の例を述べたが、これに限定されることなく、非金属球とスイッチのようなものでもよい。また、形状に置いても、球状としたが、可動であれば、時計の振り子型や円筒形等ものでもよい。また、ジャイロ等従来の角度センサーにより角度を検出し、送信部を切替え同様の効果が得られる。
【００２４】
なお、本実施の形態では、送信部が２つの例を示したが、複数であればよく、３つ以上の送信部を切替え構わない。
【産業上の利用可能性】
【００２５】
本発明に係るリモートコントローラは、多機能かつ操作性に優れるもので、テレビジョン受像機やＶＴＲ、ＤＶＤ等のＡＶ機器をはじめ、その他のリモコン操作される機器において有用である。
【図面の簡単な説明】
【００２６】
【図１】本発明の実施の形態１に係るリモートコントローラの外観を示す第１の側面図
【図２】本発明の実施の形態１に係るリモートコントローラの外観を示す第２の側面図
【図３】本発明の実施の形態１に係るリモートコントローラの送信切替部を示す第１の概観図
【図４】本発明の実施の形態１に係るリモートコントローラの送信切替部を示す第２の概観図
【図５】本発明の実施の形態１の構成を示すブロック図
【符号の説明】
【００２７】
２    操作部
４    信号発生部
６    送信切換部
８    第１信号送信部
１０    第２信号送信部
１２    球ケース
１４    金属球
１６    第１接点
１８    第２接点
２２    ボタン
【図１】
2007214863.tif 000003
【図２】
2007214863.tif 000004
【図３】
2007214863.tif 000005
【図４】
2007214863.tif 000006
【図５】
2007214863.tif 000007